【手続補正書】
【提出日】平成30年2月8日(2018.2.8)
【手続補正１】
【補正対象書類名】特許請求の範囲
【補正対象項目名】全文
【補正方法】変更
【補正の内容】
【特許請求の範囲】
【請求項１】
各ＬＥＤが表面のターゲット部分に向けて光を発する複数のＬＥＤと、
補正された信号に応じて前記複数のＬＥＤの各々を駆動する複数のＬＥＤドライバと、
各々の光センサが前記表面のターゲット部分から反射された光を測定し、前記反射された光の１つ又は複数の特性を表す反射光信号を生成する複数の光センサと、
前記複数のＬＥＤドライバ及び前記複数の光センサと動作的に結合されたコントローラであって、前記反射光信号、及び、前記表面の前記ターゲット部分から反射された光の１つ又は複数の所望の特性を表す入力信号に基づき、前記補正された信号を生成するコントローラであって、前記補正された信号は、前記複数のＬＥＤによって前記表面の前記ターゲット部分に発せられる光を一様に分布させる、コントローラと
を含む、照明デバイス。
【請求項２】
前記複数のＬＥＤ及び前記複数の光センサは同じ場所に配置される、請求項１に記載の照明デバイス。
【請求項３】
前記複数の光センサは、前記複数のＬＥＤによって発せられる光と、前記表面の前記ターゲット部分から反射され、前記複数の光センサによって測定される光とが少なくとも部分的に重複する光路を有するよう、前記複数のＬＥＤに対して配置される、請求項２に記載の照明デバイス。
【請求項４】
前記複数のＬＥＤは第１のＬＥＤを含み、前記複数のＬＥＤドライバは第１のＬＥＤドライバを含み、前記コントローラは第１のコントローラを含み、前記表面の前記ターゲット部分は第１のターゲット部分を含み、前記複数の光センサは第１の光センサを含み、前記反射光信号は第１の反射光信号を含み、前記補正された信号は第１の補正された信号を含み、前記照明デバイスはさらに、
前記表面の第２のターゲット部分に向けて光を発する第２のＬＥＤと、
第２の補正された信号に応じて前記第２のＬＥＤを駆動する第２のＬＥＤドライバと、
前記表面の前記第２のターゲット部分から反射された光を測定し、当該反射光の１つ又は複数の特性を表す第２の反射光信号を生成する第２の光センサと、
前記第２のＬＥＤ及び前記第２のＬＥＤドライバと動作的に結合された第２のコントローラであって、前記第２の反射光信号及び前記入力信号に基づき、前記第２の補正された信号を生成する第２のコントローラと
を含む、請求項１に記載の照明デバイス。
【請求項５】
前記第１及び第２のターゲット部分は少なくとも部分的に重なる、請求項４に記載の照明デバイス。
【請求項６】
前記第１のコントローラはマスターとして動作し、前記第２のコントローラはスレーブとして動作する、請求項５に記載の照明デバイス。
【請求項７】
前記マスターは、所定期間の間、前記第１の反射光信号とは無関係に前記第１の補正された信号を生成し、一方、前記スレーブは、前記第２の反射光信号及び前記入力信号に基づき前記第２の補正された信号を生成する、請求項６に記載の照明デバイス。
【請求項８】
前記マスターは、前記所定期間の経過後、前記第１の反射光信号及び前記入力信号に基づく前記第１の補正された信号の生成を開始又は再開する、請求項７に記載の照明デバイス。
【請求項９】
感知された前記第１の反射光信号の変化に応じて、前記第１のコントローラは、
第１の期間の間、前記第２のコントローラに前記第２の反射光信号の変化を一切無視させ、
前記第１の期間の間、変化した第１の反射光信号及び前記入力信号に基づき、前記第１の補正された信号を生成する、請求項５に記載の照明デバイス。
【請求項１０】
前記第１の期間の経過後、前記第１のコントローラは、第２の期間の間、前記第１の反射光信号の変化を一切無視する、請求項９に記載の照明デバイス。
【請求項１１】
前記第１の反射光信号の感知された変化に応じて、前記第１のコントローラは、前記第１の期間の間バスをローに駆動し、前記第１の期間の終了時に前記バスを解放する、請求項９に記載の照明デバイス。
【請求項１２】
前記第１の期間の経過後、前記第２のコントローラは、第３のＬＥＤ及び第３のＬＥＤドライバに動作的に結合された第３のコントローラに、第２の期間の間、第３の反射光信号の変化を一切無視させ、
前記第２の期間の間、前記第２の反射光信号の感知された変化に少なくとも部分的に基づき、前記第２の補正された信号を生成する、請求項９に記載の照明デバイス。
【請求項１３】
前記コントローラは、さらに、情報を運ぶ符号化光を発するよう前記ＬＥＤドライバが前記ＬＥＤを駆動するよう前記補正された信号を変調する、請求項１に記載の照明デバイス。
【請求項１４】
前記コントローラは、さらに、前記反射光信号に基づき、前記表面の前記ターゲット部分から反射された全光と、前記表面から反射された情報を運ぶ符号化光とを区別する、請求項１３に記載の照明デバイス。
【請求項１５】
前記コントローラは、前記全光と前記符号化光との間の差に基づき前記補正された信号を生成する、請求項１４に記載の照明デバイス。
【請求項１６】
複数のＬＥＤドライバ及び複数のＬＥＤを有する照明モジュールの制御方法であって、
各ＬＥＤドライバによって、補正された信号に基づき、表面のターゲット部分に向けて光を発するよう各ＬＥＤを駆動するステップと、
各ＬＥＤと同じ場所に配置された光センサによって、前記表面の前記ターゲット部分から反射された光を測定するステップと、
各光センサによって、前記反射された光の１つ又は複数の特性を表す反射光信号を生成するステップと、
前記反射光信号、及び、前記表面の前記ターゲット部分から反射された光の１つ又は複数の所望の特性を表す入力信号に基づき前記補正された信号を生成するステップであって、前記補正された信号は、前記複数のＬＥＤによって前記表面の前記ターゲット部分に発せられる光を一様に分布させる、ステップと
を含む、方法。
【請求項１７】
前記表面の前記ターゲット部分に向けて発せられる光、及び前記ターゲット部分から測定される前記反射された光は、少なくとも部分的に重なる光路を有する、請求項１６に記載の方法。
【請求項１８】
情報によって前記補正された信号を変調するステップと、
前記ＬＥＤドライバによって、前記情報を運ぶ符号化光を発するよう前記ＬＥＤを駆動するステップと
をさらに含む、請求項１６に記載の方法。
【請求項１９】
前記反射光信号に基づき、前記表面の前記ターゲット部分から反射された全光と、前記表面から反射された前記情報を運ぶ符号化光とを区別するステップをさらに含む、請求項１８に記載の方法。
【請求項２０】
前記補正された信号を生成するステップは、前記全光と前記符号化光との間の差に基づき前記補正された信号を生成するステップを含む、請求項１９に記載の方法。
【請求項２１】
前記照明モジュールはマスター照明モジュールであり、前記補正された信号を生成するステップは、所定期間の間、他のスレーブ照明モジュールがその出射光を較正する一方、前記反射光信号と無関係に前記補正された信号を生成するステップを含む、請求項１６に記載の方法。
【請求項２２】
前記所定期間の経過後、前記反射光信号及び前記入力信号に基づく前記補正された信号の生成を開始又は再開するステップをさらに含む、請求項２１に記載の方法。
【請求項２３】
前記反射光信号の感知された変化に応じて、第１の期間の間、他の照明モジュールに、前記他の照明モジュールが感知する反射された光の変化を一切無視させるステップと、
前記第１の期間の間、変更された第１の反射光信号及び前記入力信号に基づき前記補正された信号を生成するステップと
をさらに含む、請求項１６に記載の方法。
【請求項２４】
前記第１の期間の経過後、第２の期間の間、前記他の照明モジュールがその出射光を較正する一方、前記反射光信号の変化を一切無視する、請求項２３に記載の方法。